(57)【要約】【課題】ディスクトレイクローズ時の異物の挟み込みを予防することができるディスク装置を提供する。【解決手段】プーリー６に自身の回転を停止するための回転停止用係止爪６１を形成し、フレーム２のディスクトレイ４の搬送口の下部にレバー部材８を取付部８２により回動自在に取り付ける。レバー部材８には係合フック８１を有しており、ディスクトレイ４の孔部４１に異物が挿通されたままディスクトレイ４の搬入動作が行われたとしても、レバー部材８がフレーム２内部に押し込まれることにより、係合フック８１と回転停止用係止爪６１が係合し、モーター５からの駆動力の伝達機構であるプーリー６の回転を強制的に停止し、ディスクトレイ４のフレーム２内部への搬入を停止することができる。これにより異物がディスクトレイ４とフレーム２に挟み込まれることを防止する。【選択図】図１
2007265565.tif 000002
【特許請求の範囲】
【請求項１】
載置されるディスクを内外に搬送する、中央に孔部を有するディスクトレイと、
該ディスクトレイを収納するフレームと、
前記ディスクトレイを内外に搬送するためのモーターと、
該モーターによる駆動力をディスクトレイの搬送力に変換するためのプーリーと、
を備えるディスク装置において、
前記プーリーに回転停止用係止爪を形成し、前記回転停止用係止爪と係合するための係合フックを有するレバー部材を、ディスクの着脱位置における前記ディスクトレイの孔部から臨む箇所に位置決めをし、前記フレームのディスクトレイ搬送用開口部側に回動可能に連結し、前記回転停止用係止爪と前記係合フックの係合により、前記プーリーの動作を強制的に停止することを特徴とする異物挟み込み防止構造を備えたディスク装置。
【請求項２】
前記回転停止用係止爪は、略直方体に形成され、前記プーリーの盤面上に中心から外周方向に向かって放射状に複数設置されることを特徴とする請求項１記載の異物挟み込み防止構造を備えたディスク装置。
【請求項３】
前記レバー部材は、付勢手段により、前記回転停止用係止爪と前記係合フックとが係合しない方向へ付勢されることを特徴とする請求項１又は２記載の異物挟み込み防止構造を備えたディスク装置。
【発明の詳細な説明】
【技術分野】
【０００１】
本発明は、ディスクトレイ開閉時に、指などの異物が挟まることを防止する異物挟み込み防止構造を備えたディスク装置に関する。
【背景技術】
【０００２】
従来、ディスクトレイを備えた記録再生装置は、ディスクトレイを収納するフレームに対して摺動可能にトレイが組付けられており、ディスクトレイは、フレームの内部に取り付けるモーターの駆動力をギア及びプーリーに代表される伝達機構を介して、フレーム内部の記録再生位置と、装置外部のディスク着脱位置との間で、直線的に往復移動可能としている。フレームには、ディスクトレイと共に内部に搬送されるディスクに記憶されるデータを読取って再生を行う、若しくはディスクにデータを書き込むためのピックアップユニット、ディスクを回転させるためのターンテーブルなどの部品により構成するトラバースユニットを備えており、ディスクトレイには、装置内部の記録若しくは再生位置においてクランパと共にディスクを挟持するターンテーブルを挿通させ、加えて前記ピックアップユニットより発せられるレーザ光を前記ディスクの記録面へ照射するために、中央部に孔部が形成されている。この孔部は、ディスクトレイがディスク着脱位置にある際に、ディスクの着脱を容易にする効果もある。
【０００３】
ところで、このディスクトレイのフレーム内部への搬送動作は、様々な方法により公開されているが、主に、ディスクトレイ開閉ボタンによる搬送方法や、外部からの押圧力の検知を行い自動的に内部へ搬送する方法や、ディスクトレイがディスク着脱位置に到達してから所定の時間経過後自動的に内部へ搬送する方法が一般的に用いられている。
【０００４】
この搬送動作の際に、ディスクトレイに形成される孔部に指などを挿通したままの状態で、誤ってディスクトレイを押してしまったり、所定の時間が経過してしまう場合、ディスクトレイとディスクトレイ搬送口により指を挟んでしまい、怪我を負う危険性があった。この問題を解決するにあたり、特許文献１では、ディスクトレイクローズ時に、警告音やランプの点灯・点滅により報知するといった方法や、ディスクトレイのクローズの速度を、オープン時より遅くする方法を開示している。
【０００５】
【特許文献１】特開平１１−６６７０３号公報
【発明の開示】
【発明が解決しようとする課題】
【０００６】
しかしながら、特許文献１の方法では、警告音を聞き逃してしまったり、ランプの点灯・点滅を見逃してしまった場合には、ディスクトレイの動作を止めることができず、結果指を挟みこんでしまっていた。
【０００７】
本発明は上記課題を鑑みてなされたものであり、機械的な構造による異物挟み込み防止構造を備えたディスク装置を提供することを目的とする。
【課題を解決するための手段】
【０００８】
請求項１に係る異物挟み込み防止構造を備えたディスク装置は、載置されるディスクを内外に搬送する、中央に孔部を有するディスクトレイと、
該ディスクトレイを収納するフレームと、
前記ディスクトレイを内外に搬送するためのモーターと、
該モーターによる駆動力をディスクトレイの搬送力に変換するためのプーリーと、
を備えるディスク装置において、
前記プーリーに回転停止用係止爪を形成し、前記回転停止用係止爪と係合するための係合フックを有するレバー部材を、ディスクの着脱位置における前記ディスクトレイの孔部から臨む箇所に位置決めをし、前記フレームのディスクトレイ搬送用開口部側に回動可能に連結し、前記回転停止用係止爪と前記係合フックの係合により、前記プーリーの動作を強制的に停止することを特徴とする。
【０００９】
請求項１の構成によれば、プーリーの上面に回転停止用係止爪を形成し、フレームのディスクトレイ搬送用開口部近傍にレバー部材を連結し、このレバー部材に係合フックを形成し、回転停止用係止爪と係合フックを係合させることで、ディスクトレイの搬送動作の動力源であるプーリーの回転を停止させることができる。
【００１０】
請求項２に係る異物挟み込み防止構造を備えたディスク装置は、請求項１記載の異物挟み込み防止構造を備えたディスク装置において、前記回転停止用係止爪は、略直方体に形成され、前記プーリーの盤面上に中心から外周方向に向かって放射状に複数設置されることを特徴とする。
【００１１】
請求項２の構成によれば、プーリーの盤面上に回転停止用係止爪を放射状に略直方体に形成することにより、係合フックによりプーリーの回転を停止する場合、係合フックと回転停止用係止爪の停止させるための制動力を高めることができ、複数の回転停止用係止爪を形成することで、レバー部材作動時のプーリーの回転数を抑えることができる。
【００１２】
請求項３に係る異物挟み込み防止構造を備えたディスク装置は、請求項１又は２記載の異物挟み込み防止構造を備えたディスク装置において、前記レバー部材は、付勢手段により、前記回転停止用係止爪と前記係合フックとが係合しない方向へ付勢されることを特徴とする。
【００１３】
請求項３の構成によれば、レバー部材をフレーム外部の方向に付勢する付勢手段を有し、通常は回転停止用係止爪と係合フックは係合することがない。
【発明の効果】
【００１４】
請求項１に係る載置されるディスクを内外に搬送する、中央に孔部を有するディスクトレイと、
該ディスクトレイを収納するフレームと、
前記ディスクトレイを内外に搬送するためのモーターと、
該モーターによる駆動力をディスクトレイの搬送力に変換するためのプーリーと、
を備えるディスク装置において、
前記プーリーに回転停止用係止爪を形成し、前記回転停止用係止爪と係合するための係合フックを有するレバー部材を、ディスクの着脱位置における前記ディスクトレイの孔部から臨む箇所に位置決めをし、前記フレームのディスクトレイ搬送用開口部側に回動可能に連結し、前記回転停止用係止爪と前記係合フックの係合により、前記プーリーの動作を強制的に停止するので、ディスク着脱時のディスクトレイの位置で、ディスクトレイの孔部に指などの異物を挿通したままディスクトレイクローズ動作が行われても、レバー部材の係合フックとプーリーの回転停止用係止爪とが係合し、これによりプーリーの回転を停止することができる。即ちディスクトレイとディスクトレイの搬送のための駆動力であるモーターとを一時的に切り離すことができ、異物の挟み込みを防止することができる。
【００１５】
請求項２に係る異物挟み込み防止構造を備えたディスク装置は、請求項１記載の異物挟み込み防止構造を備えたディスク装置において、前記回転停止用係止爪は、略直方体に形成され、前記プーリーの盤面上に中心から外周方向に向かって放射状に複数設置されるので、レバー部材の係合フックと回転停止用係止爪とが係合する際の当接面を大きくし、より確実にプーリーを停止させることができる。また、複数の回転停止用係止爪を設置することにより、回転停止用係止爪間の距離を縮めることができ、レバー部材が動作してから回転停止用係止爪と係合フックが係合し、プーリーの回転が停止するまでのプーリーの回転数を抑制することができる。即ち、レバー部材が作動した時点からディスクトレイが実際停止するまでの制動距離を短くすることができる。
【００１６】
請求項３に係る異物挟み込み防止構造を備えたディスク装置は、請求項１又は２記載の異物挟み込み防止構造を備えたディスク装置において、前記レバー部材は、付勢手段により、前記回転停止用係止爪と前記係合フックとが係合しない方向へ付勢されるので、異物の挟み込みが無い場合は、常に回転停止用係止爪と係合フックが係合することがないので、通常の動作時にレバー部材が障害となることはない。
【発明を実施するための最良の形態】
【００１７】
以下、本発明を実施するための最良の形態としての実施例について、図１から図８を参照して説明する。もちろん、本発明は、その発明の趣旨に反さない範囲で、実施例において説明した以外のものに対しても容易に適用可能なことは説明を要するまでもない。
【００１８】
図１〜図８は、本発明の一実施例を示し、図１は本発明の実施例１におけるディスクを読み取るためのピックアップユニット等を備えるディスク装置の斜視図である。図２は図１に示すディスク装置の上面図である。図３は図１の状態からディスクトレイを取り外した状態のディスク装置を示す斜視図である。図４は図３に示すディスク装置の上面図である。図５は本発明の実施例２におけるディスク装置の斜視図である。図６は図５に示すディスク装置の上面図である。図７は図６の状態からディスクトレイを取り外した状態のディスク装置を示す斜視図である。図８は図７に示すディスク装置の上面図である。
【実施例１】
【００１９】
本実施例におけるディスク装置の異物挟み込み防止構造について、図１〜４に基づいて説明する。図１はディスクを読み取るためのピックアップユニット等を備えるディスク装置の斜視図である。１はディスク装置であり、２はディスク装置１の外形を形成するフレームである。２１は搬送されるディスクを挟持するためのクランパである。３は図示しないピックアップユニットや後述のターンテーブル等を有するトラバースユニットであり、３１はクランパ２１と共にディスクを挟持するためのターンテーブルである。４は載置されたディスクの搬入出を行うためのディスクトレイであり下面に図示しないラックギアを有する。４１はターンテーブル３１や図示しないピックアップユニットから発せられる照射レーザ等を挿通させるための、中央に略Ｕ字状に形成される孔部である。５はディスクトレイ４の搬送動作の駆動力を供給するモーターであり、６はモーター５の供給する回転運動たる駆動力をディスクトレイ４に伝達するためのプーリーであり下面に後述のピニオンを動作させるためのギア部を有している。６１は後述の係合フックによりプーリーを停止させるために用いる回転停止用防止爪である。７はモーター５による駆動力をプーリー６へ伝達させるためのベルトである。８はレバー部材であり、ディスクトレイ４のディスク着脱位置における孔部４１から臨む位置にあり、ディスクトレイ４の搬入出を遮らないようフレーム前方且つ下方に位置決めされる。８１は前述の回転停止用防止爪６１と係合することによりプーリー６の回転を停止させるための係止フックであり、８２はレバー部材８を回動自在に固定する取付部である。９はレバー部材がフレーム２から常に遠ざかるように付勢するための付勢手段たるスプリングである。１０はプーリー６の回転をディスクトレイ４の搬送動作に変換するためのピニオンであり、プーリー６の回転により自身を回転させるためのギア部１０ａと、自身の回転をディスクトレイ４のラックギアに伝達するためのギア部１０ｂを有する。
【００２０】
ディスクトレイ４のフレーム２内部への搬送動作は、駆動力となるモーター５の回転をベルト７を介してプーリー６に伝達し、プーリー６が下面に有する図示しないギア部を通じてピニオン１０を回転させ、ピニオン１０の回転をディスクトレイ４の下面に形成されるラックギアを介することで行われる。
【００２１】
本実施例において、プーリー６には自身の回転を停止するための回転停止用係止爪６１が形成される。レバー部材８は取付部８２により回動自在にフレーム２に取り付けられる。また、レバー部材８には係合フック８１が形成され、孔部４１に指などの異物が挿通されたままディスクトレイ４の搬入動作が始まった場合に、ディスクトレイ４により異物と共にレバー部材８がフレーム２側に押し込まれ、係合フック８１が回転停止用係止爪６１に係合し、プーリー６の回転が停止する。ディスクトレイ４の駆動力の伝達機構の内の１つであるプーリー６が停止することで、ディスクトレイ４の搬入動作を停止することができる。レバー部材８はスプリング９によりフレーム２と反対側の方向へ付勢されているため、通常時及び異物が取り除かれた場合はレバー部材８がフレーム２の反対側へと移動し、回転停止用係止爪６１と係合フック８１との係合が解消され、プーリー６が回転することでディスクトレイ４の搬入動作が再開する。
【００２２】
以上のように本実施例によれば、ディスク装置１は、異物が孔部４１に挿通したままディスクトレイ４のフレーム２内部への搬入動作が行われても、フレーム２に取り付けられたレバー部材８がフレーム２側へと押し込まれ、レバー部材８に形成される係合フック８１が、ディスクトレイ４の搬入動作の駆動力の伝達機構であるプーリー６に形成される回転停止用係止爪６１に係合することにより、プーリー６の回転を強制的に停止させることができるので、例えば孔部４１に指などを挿通したとしても、怪我を負うに至らず、安全性の向上を図ることができる。また、強制的にプーリー６を停止させたとしても、ベルト７が空転するため、モーター５やプーリー６からの駆動力を伝達するピニオン１０のギア部１０ａ、ギア部１０ｂ及びディスクトレイ４が備えるラックギアなどの駆動力伝達機構全般に係る負荷を低減させることができる。
【実施例２】
【００２３】
次に、本発明の実施例２を図５〜８に基づいて説明する。尚、上記実施例１と同一部分には同一符号を示し、その詳細な説明は省略して詳述する。
【００２４】
実施例２では、図５〜８に示すようにレバー部材１１を略ヘ字状に形成し、一端に係合フック１１１を形成し、他端をレバー部材１１を回動自在に取り付けるための取付部１１２とする。これにより、フレーム２の外部に異物と当接するためのレバー部分のみを突出させることができ、省スペース化を図ることができる。
【図面の簡単な説明】
【００２５】
【図１】本発明の実施例１を示すディスク装置の斜視図である。
【図２】同上、ディスク装置の上面図である。
【図３】同上、ディスクトレイを外した上体のディスク装置の斜視図である。
【図４】同上、ディスクトレイを外した上体のディスク装置の上面図である。
【図５】本発明の実施例２を示すディスク装置の斜視図である。
【図６】同上、ディスク装置の上面図である。
【図７】同上、ディスクトレイを外した上体のディスク装置の斜視図である。
【図８】同上、ディスクトレイを外した上体のディスク装置の上面図である。
【符号の説明】
【００２６】
１      ディスク装置
２      フレーム
４      ディスクトレイ
５      モーター
６      プーリー
６１    回転停止用係止爪
８、１１      レバー部材
８１、１１１    係合フック
８２、１１２    取付部
９      スプリング（付勢手段）
【図１】
2007265565.tif 000003
【図２】
2007265565.tif 000004
【図３】
2007265565.tif 000005
【図４】
2007265565.tif 000006
【図５】
2007265565.tif 000007
【図６】
2007265565.tif 000008
【図７】
2007265565.tif 000009
【図８】
2007265565.tif 000010